(57)【要約】    【課題】  複数ファンの異常監視に使用する入力ポート数を低減しかつ異常電動ファン特定のためのハードウエア付加は抑制する。ファンの異常による画像形成装置の使用不可を可及的に回避。    【解決手段】  異常の有無を表す参照信号を出力する複数個のファンＦ１〜８のそれぞれに個別に接続された複数個の付勢手段Ｓｗ１〜８；各参照信号線の全体を、各ファンの異常有りの論理和を表わす１つのモニタ信号線に集成するオアゲート７９；および、モニタ信号が、異常なしから有りに変化した場合に、前記複数個のファンを部分的に順次付勢しかつモニタ信号を参照して異常ファンを特定する手段１３０；を備える異常電動ファン検出装置および該装置を用いた画像形成装置。特定手段１３０はファンを１個づつ駆動して、又は順次に２グループに細区分して、異常ファンを特定する。異常ファン対応で、作像条件を制限する。  【選択図】  図２
2005256617.tif 000002
【特許請求の範囲】
【請求項１】
異常の有無を表す参照信号を出力する複数個の電動ファンのそれぞれに個別に接続された複数個の付勢手段；
前記複数個の電動ファンの参照信号の総体を、各電動ファンの異常有りの論理和を表わす１つのモニタ信号に集成する論理和手段；および、
前記モニタ信号が、異常なしから有りに変化した場合に、前記付勢手段を介して前記複数個の電動ファンを部分的に順次付勢しかつ前記モニタ信号を参照して異常電動ファンを特定する手段；
を備える異常電動ファン検出装置。
【請求項２】
前記順次に付勢する順番を決定する情報を保持するメモリ手段を更に備え；前記異常電動ファンを特定する手段は、該メモリ手段の情報に従う順番で前記複数個の電動ファンを部分的に順次付勢しかつ前記モニタ信号を参照して異常電動ファンを特定する；請求項１に記載の異常電動ファン検出装置。
【請求項３】
前記順番は故障する可能性の高い順番である、請求項１又は２に記載の異常電動ファン検出装置。
【請求項４】
前記異常電動ファンを特定する手段は、複数の電動ファンを２グループに区分して一方のグループは消勢し他方のグループは付勢して前記モニタ信号が異常有りを示すグループを判定し、前記モニタ信号が異常有りを示すグループを順次に２グループに区分して最終的に異常電動ファンを特定する；請求項１に記載の異常電動ファン検出装置。
【請求項５】
前記請求項１乃至４の何れか１つに記載の複数の電動ファンおよび異常電動ファン検出装置；
用紙上に画像を形成する作像手段；および、
前記作像手段の動作を制御する制御手段；
を備える画像形成装置。
【請求項６】
前記複数の電動ファンそれぞれの異常有り情報および異常有りのときの制御モード情報を保持するメモリ手段を更に備え；前記異常電動ファンを特定する手段は、異常有りと特定した電動ファンに対応する制御モードを該メモリ手段から読み出し、前記制御手段は、読み出された制御モードで前記作像手段を制御する；請求項５に記載の画像形成装置。
【発明の詳細な説明】
【技術分野】
【０００１】
本発明は、異常の有無を表す参照信号を出力する複数個の電動ファンの異常監視を行い、どの電動ファンが異常なのかを特定する検出装置と、それを用いる画像形成装置に関する。
【背景技術】
【０００２】
近年の電気，電子機器は、小型かつ高電力消費となる傾向にあり、放熱或いは空調もしくは空気浄化のために複数の、電気モータ駆動のファンすなわち電動ファンを備えるものが多い。これにともなって大小様々な電動ファンが商品化されている。電動ファンの故障により冷却対象の電気回路あるいは電子デバイスが過熱故障を生ずるおそれがあるので、近年の電動ファンには、電源ライン（＋／ＧＮＤ）の他に、異常状態の有無を表す参照信号を出力する信号ラインを備えたものが有る。例えばロック検知信号を出力する信号ラインを備えたものが有る。このロック検知信号は、ファンの電気モータの電源ラインに電圧が印加されているにもかかわらず電気モータが所定の回転をしなかったり、停止したままの状態であるときに、正常レベル（例えば定レベルＬ）からロック有りを示すレベル（高レベルＨ）に切換わる。
【０００３】
複数の電動ファンを有する機器において、これら電動ファンの各々の参照信号ラインを、Ｉ／ＯポートやＣＰＵの各入力ポートに接続して各入力ポートの信号レベルをチェックすることにより、電動ファンの異常の発生を監視することができ、異常を発生した場合には、どの電動ファンが異常であるのかすぐわかる。ところが、複数の電動ファンを有するシステムとしては、複写機やプリンタを初めとする各種画像形成装置や電気，電子機器や自動車等があげられる。これらの機器で、搭載電動ファン全てのロック検知を個別に行おうとすると、検知のための入力ポートが電動ファンの個数だけ必要となる問題がある。実際に電動ファンが異常状態となるのは極く稀なことであるので、入力ポートを電動ファンの個数だけ用意するのは合理的ではない。そこで、考えられる手段としては、各電動ファンの参照信号の論理和をとって１つの異常信号出力として、システムで検知することが有効である。
【０００４】
【特許文献１】特開平５−１６７２８１号
【特許文献２】特開２００２−２５１１０９号。
【０００５】
特許文献１は、複数の冷却ファンそれぞれの作動状態を検知する作動状態検知器の出力信号をオア回路に入力し、オア回路の出力によってアラームを表示する冷却ファンユニットを記載している。しかしながら、異常電動ファンのみを特定することはできない。
特許文献２は、画像形成装置の電気モータ，高圧電源，光源，各種センサ，各種スイッチ等多くの負荷の異常信号をオア回路とエンコーダに入力して、何れかの負荷に異常が発生したことを表すオア回路の出力と、異常が発生した負荷を表わすエンコーダの出力コードをＣＰＵに与える異常監視システムを記載している。
【発明の開示】
【発明が解決しようとする課題】
【０００６】
しかし、エンコーダが必要であり、該エンコーダへの各参照信号ラインの配線が必要となるのでハードウエアが複雑になる。本発明は、複数の電動ファンの異常監視で使用する入力ポート数を低減しかつ異常電動ファン特定のためのハードウエア付加は抑制することを第１の目的とし、複数の電動ファンを用いる画像形成装置においては更に、電動ファンの異常による装置の使用不可を可及的に回避することを第２の目的とする。
【課題を解決するための手段】
【０００７】
（１）異常の有無を表す参照信号を出力する複数個の電動ファン(F1〜F8)のそれぞれに個別に接続された複数個の付勢手段(SW1〜SW8)；
前記複数個の電動ファンの参照信号の総体を、各電動ファンの異常有りの論理和を表わす１つのモニタ信号に集成する論理和手段(79)；および、
前記モニタ信号が、異常なしから有りに変化した場合に、前記付勢手段を介して前記複数個の電動ファンを部分的に順次付勢しかつ前記モニタ信号を参照して異常電動ファンを特定する手段(130)；
を備える異常電動ファン検出装置。
【０００８】
なお、理解を容易にするためにカッコ内には、図面に示し後述する実施例の対応要素の記号又は対応事項を、例示として参考までに付記した。以下も同様である。
【発明の効果】
【０００９】
電動ファンの異常検知のための、異常電動ファンを特定する手段(130)へのモニタ信号ラインが少ないにもかかわらず、異常電動ファンが自動的に個別に特定される。この特定のために特許文献２のエンコーダおよびエンコーダへの多くの参照信号ラインの配線は必要としない。すなわち異常電動ファン特定のためのハードウエア付加は省略できる。
【発明を実施するための最良の形態】
【００１０】
（２）前記順次に付勢する順番を決定する情報（対策テーブル：表１）を保持するメモリ手段(133b)を更に備え；前記異常電動ファンを特定する手段(130)は、該メモリ手段(133b)の情報に従う順番で前記複数個の電動ファンを部分的に順次付勢しかつ前記モニタ信号を参照して異常電動ファンを特定する；上記（１）に記載の異常電動ファン検出装置。
【００１１】
これによれば、メモリ手段(133b)に書込む情報によって、モニタ信号が異常を示したときの、電動ファンチェック順を設定できる。例えば、異常状態での付勢継続時間を短縮するためには、前記順番は故障する可能性の高い順番とすることができる。また、電動ファンを装備した機器において電動ファン駆動の重要性が個々に異なる場合には、重要度が高い電動ファンに先順位を与えることができる。
【００１２】
（３）前記順番は故障する可能性の高い順番である、上記（１）又は（２）に記載の異常電動ファン検出装置。これによれば、故障する可能性の高い電動ファンが故障したかの特定が早い。
【００１３】
（３ａ）前記異常電動ファンを特定する手段(130)は、異常と特定した電動ファンを最先順位とするように前記メモリ手段(133b)の情報を更新する；上記（２）又は（３）に記載の異常電動ファン検出装置。これによれば、異常電動ファンを修理又は交換した後、モニタ信号が異常を示すと該電動ファンが異常であるか、最先にチェックされる。故障し易い箇所又は仕様の電動ファンが故障したかの特定が早い。
【００１４】
（４）前記異常電動ファンを特定する手段(130)は、複数の電動ファンを２グループに区分して一方のグループは消勢し他方のグループは付勢して前記モニタ信号が異常有りを示すグループを判定し、前記モニタ信号が異常有りを示すグループを順次に２グループに区分して最終的に異常電動ファンを特定する；請求項１に記載の異常電動ファン検出装置。これによれば１つの異常電動ファンを特定するに要する時間が短くなる。
【００１５】
（５）前記（１）乃至（４）の何れか１つに記載の複数の電動ファンおよび異常電動ファン検出装置；
用紙上に画像を形成する作像手段(100)；および、
前記作像手段の動作を制御する制御手段(130)；
を備える画像形成装置。
【００１６】
これによれば複数の電動ファンを備える画像形成装置において、前記（１）乃至（４）の何れか１つに記述した作用効果が同様に得られる。
【００１７】
（６）前記複数の電動ファンそれぞれの異常有り情報および異常有りのときの制御モード情報（対策テーブル：表１）を保持するメモリ手段(133b)を更に備え；前記異常電動ファンを特定する手段(130)は、異常有りと特定した電動ファンに対応する制御モードを該メモリ手段(133b)から読み出し、前記制御手段(130)は、読み出された制御モードで前記作像手段を制御する；上記（５）に記載の画像形成装置。
【００１８】
画像形成装置においては複数個の電動ファンの駆動の重要性が個々に異なる。例えば、設定枚数が多数の連続フルカラープリント又は複写の場合には、作像手段への投入電力が大きく長時間になるので、多くの電動ファンの同時駆動が必要である。しかし単色かつ設定枚数１枚のプリント又は複写の場合には、作像手段への投入電力が少なく短時間になるので、設置箇所によっては電動ファンが停止しても画像形成装置に格別な不具合を与えない場合がある。そのような箇所の電動ファンの異常に単色１枚作像の制御モードを割り付けてメモリ手段(133b)に保持しておくことにより、特定の電動ファンの故障でも、最低限の作像機能を使用することができる。
【００１９】
（７）前記異常電動ファンを特定する手段(130)は、前記モニタ信号の異常なしレベルから異常有りレベルへの変化に応答して起動する割り込み処理(IPA/IPAv)によって前記異常電動ファンの特定処理を実行する電子情報処理手段(CPU)である。
【００２０】
これによれば、前記モニタ信号を所定周期で繰り返し読み込んで異常発生の有無をチェックするタスクが不要で、異常が発生したときに自動的に異常電動ファンの特定処理が開始される。異常発生から異常電動ファンの特定処理の開始までの時間遅れが小さい。異常が発生しない限り、電子情報処理手段(CPU)は、前記モニタ信号の繰り返し読み込みをする必要はなく、他のタスクに専念できる。
【００２１】
（８）前記電子情報処理手段(CPU)は、前記割り込み処理(IPA/IPAv)を起動したとき前記モニタ信号の前記レベル変化に応答する前記割り込み処理(IPA/IPAv)は禁止し、前記異常電動ファンの特定処理を終了すると前記割り込み処理(IPA/IPAv)を許可する（図４のｓ１，ｓ１６／図５のｓ２１，ｓ４５）。
【００２２】
これによれば、前記割り込み処理(IPA/IPAv)を起動した後に、該割り込み処理の中で電動ファンの付勢を停止しそして特定ファンを付勢することにより前記モニタ信号が一旦異常なしレベルに戻ってから再度異常有りレベルに戻る場合でも、これによって更に（２重に）割り込み処理(IPA/IPAv)を起動することはない。
【００２３】
本発明の他の目的および特徴は、図面を参照した以下の実施例の説明より明らかになろう。
【実施例１】
【００２４】
図１に、本発明の第１実施例の、複合機能があるフルカラー複写機の機構部の概要を示す。複写機のプリンタ１００には、中央に、無端ベルトである中間転写ベルト１０がある。中間転写ベルト１０は、３つの支持ローラ１４〜１６に掛け廻されており、時計廻りに回動駆動される。第２の支持ローラ１５の左に、画像転写後に中間転写ベルト１０上に残留する残留トナーを除去する中間転写体クリーニング装置１７がある。
【００２５】
第１の支持ローラ１４と第２の支持ローラ１５との間の中間転写ベルト１０には、その移動方向に沿って、ブラック（Ｋ），イエロー（Ｙ），マゼンタ（Ｍ）およびシアン（Ｃ）の、各色作像ユニットがあり、これらがフルカラー作像装置２０を構成している。各色作像ユニットは、それぞれ個別に交換用にユニット化され、プリンタ本体に対して脱着可能に装着されている。各色作像ユニットには、感光体ドラム４０、ならびに、該感光体ドラムを荷電する帯電器，潜像を現像する現像器，クリーニング装置およびその他の周辺機器でなる作像関連機器１８がある。
【００２６】
作像装置２０の上方には、各色作像ユニットの各感光体ドラムに画像形成のためのレーザ光を照射するレーザ露光装置２１がある。中間転写ベルト１０の下方には、２次転写装置２２がある。２次転写装置２２は、２つのローラ２３間に、無端ベルトである２次転写ベルト２４を掛け渡して、中間転写ベルト１０を押し上げて第３の支持ローラ１６に押し当てるように配置したものである。この２次転写ベルト２４は、中間転写ベルト１０上の画像を、用紙上に転写する。２次転写装置２２の横には、用紙上の転写画像を定着する定着装置２５があり、トナー像が転写された用紙がそこに送り込まれる。
【００２７】
定着装置２５は、無端ベルトである定着ベルト２６に加熱，加圧ローラ２７を押し当てたものである。２次転写装置２２および定着装置２５の下方に、表面に画像を形成した直後の用紙を、裏面にも画像を記録するために表裏を反転して送り出すシート反転装置２８がある。
【００２８】
スタートスイッチが押されると、原稿自動搬送装置（ＡＤＦ）４００に原稿があるときは、それをコンタクトガラス３２上に搬送してから、ＡＤＦに原稿が無いときにはコンタクトガラス３２上に手置きの原稿を読むために直ちに、スキャナ３００を駆動し、第１キャリッジ３３および第２キャリッジ３４を、読み取り走査駆動する。そして、第１キャリッジ３３上の光源からコンタクトガラスに光を発射するとともに原稿面からの反射光を第１キャリッジ３３上の第１ミラーで反射して第２キャリッジ３４に向け、第２キャリッジ３４上のミラーで反射して結像レンズ３５を通して読取りセンサであるＣＣＤ３６に結像する。ＣＣＤ３６で得た画像信号に基づいてＫ，Ｙ，Ｍ，Ｃ各色記録データが生成される。
【００２９】
また、スタートスイッチが押されたときに、中間転写ベルト１０の回動駆動が開始されるとともに、作像装置２０の各作像ユニットの作像準備が開始され、そして各色作像ユニットの作像シーケンスが開始されて、各色作像ユニットに各色記録データに基づいて変調された露光レーザが投射され、各色作像プロセスにより、各色トナー像が中間転写ベルト１０上に一枚の画像として、重ね転写される。このトナー画像の先端が２次転写装置２２に進入するときに同時に先端が２次転写装置２２に進入するようにタイミングをはかって用紙が２次転写装置２２に送り込まれ、これにより中間転写ベルト１０上のトナー像が用紙に転写する。トナー像が移った用紙は定着装置２５に送り込まれ、そこでトナー像が用紙に定着する。
【００３０】
なお、上述の用紙は、給紙テーブル２００の給紙ローラ４２の１つを選択回転駆動し、ペーパーバンク４３に多段に備える給紙カセット４４の１つからシートを繰り出し、分離ローラ４５で１枚だけ分離して給紙路４６に入れ、搬送ローラ４７で搬送してプリンタ１００内の給紙路４８に導き、レジストローラ４９に突き当てて止めてから、前述のタイミングで２次転写装置２２に送り出されるものである。手差しトレイ５１上に用紙を差し込んで給紙することもできる。ユーザが手差しトレイ５１上に用紙を差し込んでいるときには、プリンタ１００が給紙ローラ５０を回転駆動して手差しトレイ５１上のシートの一枚を分離して手差し給紙路５３に引き込み、同じくレジストローラ４９に突き当てて止める。
【００３１】
定着装置２５で定着処理を受けて排出される用紙は、切換爪５５で排出ローラ５６に案内して排紙トレイ５７上にスタックする。または、切換爪５５でシート反転装置２８に案内して、そこで反転して再び転写位置へと導き、裏面にも画像を記録して後、排出ローラ５６で排紙トレイ５７上に排出する。一方、画像転写後の中間転写ベルト１０上に残留する残留トナーは、中間転写体クリーニング装置１７で除去し、再度の画像形成に備える。
【００３２】
スキャナ３００の左側壁には排気口がありそこに排気用の電動ファンＦ１が装着されている。スキャナ３００の右側壁には吸気口がある。図２に示すカラー原稿スキャナ３００，操作ボード6１０，システムコントローラ６３０，ＩＰＰおよびカラープリンタ１００の電気，電子システムがある電装部ＥＡＥＣ（図１）の右側壁の吸気口には吸気用の電動ファンＦ２が、また、左側壁の排気口には排気用の電動ファンＦ３がある。プリンタ１００の定着装置２５の上方の左側壁には、浮遊トナー収集用のフィルタを装着した排気口がありそこに機内空気を送り出す冷却用の電動ファンＦ４がある。更に、各感光体ドラム４０を主体とする各色作像ユニットの背部の壁面には浮遊トナー収集用のフィルタを装着した換気口があり、そこに各ユニット周りの空気を送出する電動ファンＦ５〜Ｆ８がある。
【００３３】
図２に、図１に示す複写機の、画像読み取り，画像処理，画像蓄積および画像形成、のシステム構成を示す。カラー原稿スキャナ３００の、原稿を光学的に読み取る読み取りユニット１１は、原稿に対する原稿照明光源の走査を行い、ＳＢＵ（センサボードユニット）のＣＣＤ３６に原稿像を結像する。原稿像すなわち原稿に対する光照射の反射光をＣＣＤ３６で光電変換してＲ，Ｇ，Ｂ画像信号を生成し、ＳＢＵ上でＲＧＢ画像データに変換しかつシェーディング補正し、そして出力Ｉ／Ｆ（インターフェイス）１２で画像データバスを介して画像データ処理器ＩＰＰ(Image Processing Processor；以下では単にＩＰＰと記述）に送出する。
【００３４】
ＩＰＰは、分離生成（画像が文字領域か写真領域かの判定：像域分離），地肌除去，スキャナガンマ変換，フィルタ，色補正，変倍，画像加工，プリンタガンマ変換および階調処理を行う。ＩＰＰは画像処理をおこなうプログラマブルな演算処理手段である。スキャナ３００からＩＰＰに転送された画像データは、ＩＰＰにて光学系およびデジタル信号への量子化に伴う信号劣化（スキャナ系の信号劣化）を補正され、フレームメモリ６０１に書き込まれる。
【００３５】
システムコントローラ６３０は、スキャナアプリケーション，ファクシミリアプリケーション，プリンタアプリケーションおよびコピーアプリケーション等の複数アプリケーションの機能を有し、システム全体の制御を行う。操作パネル制御装置６３１は、操作ボード６１０の入力を解読して本システムの設定とその状態内容を表示する装置である。画像データバス／制御コマンドバスは、画像データと制御コマンドが時分割で転送されるバスである。
【００３６】
システムコントローラ６３０のＣＰＵ６０５は、システムコントローラ６３０の制御を行う。ＲＯＭ６０４にはシステムコントローラ６３０の制御プログラムが書かれている。ＲＡＭ６０３は、ＣＰＵ６０５が使用する作業用メモリである。ＮＶＲＡＭ６０２は、不揮発性メモリであり、システム全体の情報の保管を行う。
【００３７】
外部機器通信制御６０６は、画像読み取り，画像蓄積或いは画像印刷を要求する外部機器（たとえば同種の複写機，画像スキャナ，パソコン，プリンタ，ファクシミリ）ならびに管理センタの管理サーバ５００との通信制御を行うものであり、ネットワークに接続するための物理Ｉ／Ｆの制御を行う。ネットワーク接続された外部機器通信制御６０６がネットワークからデータを受信すると、電気的な信号より通信データの内容だけシステムＩ／Ｆ６０７に送る。システムＩ／Ｆ６０７では、規定されたプロトコルに従い受信データを論理変換しＣＰＵ６０５に送る。ＣＰＵ６０５では、論理変換された受信データを判断し処理を行う。また、ＣＰＵ６０５が、ネットワークにデータを送信する時は、受信とは逆の手順で、システムＩ／Ｆ６０７、外部機器通信制御６０６に送信データが伝達され、電気信号としてネットワーク上に送出される。
【００３８】
システムＩ／Ｆ６０７は、ＣＰＵ６０５の命令によりシステム内で処理される、原稿読み取りデータ，ファクシミリ受信データ，パソコンのドキュメントデータ（印刷命令）の転送制御、ならびに、パソコンのドキュメントデータの印刷用のイメージデータ（画像データ）への変換と転送を行う。ワークメモリ６００は、プリンタで使用する画像展開（ドキュメントデータからイメージデータへの変換）の作業用メモリである。フレームメモリ６０１は、電源が供給され続けている状態で即座に印刷される読み取り画像や書込み画像のイメージデータを、一時蓄える作業用メモリである。
【００３９】
ＨＤＤＣ６５０は、システムのアプリケーションプログラムならびにプリンタ１００の作像プロセス機器の機器付勢情報を格納するアプリケーションデータベース、ならびに、読み取り画像や書き込み画像のイメージデータ、すなわち画像データ、ならびにドキュメントデータを蓄える画像データベースとして用いられるハードディスクＨＤＤとそのコントローラである。イメージデータおよびドキュメントデータは、符号化されたりドットイメージであったりする。ＦＩＦＯバッファメモリ６０９は、入力画像をフレームメモリ６０１へ書込む時のデータ転送速度変換を行う。すなわち、転送元と転送先のデータ送出／受入れタイミングの差，転送単位のデータ量の相違，転送速度差等を吸収するデータの一時蓄積を行い、転送元の転送タイミングおよび速度でデータを受け入れ、転送先の転送タイミングおよび速度でデータを送り出す。同様にＦＩＦＯバッファメモリ６０８は、フレームメモリ６０１の画像データを出力画像としてデータ転送する時の速度変換を行う。
【００４０】
メモリコントローラ６１０は、ＣＰＵ６０５の制御なしにフレームメモリ６０１及び、ＨＤＤＣ６５０とバス間の画像の入出力をコントロールする。また、操作ボード３０１の入力装置６１４が受けたコマンドに応じて、フレームメモリ６０１を利用して、ＨＤＤＣに蓄積している画像の編集，加工あるいは画像合成を行う。メモリコントローラ６１０は、ＨＤＤＣ６５０のＨＤＤからワークメモリ６００又はフレームメモリ６０１への画像情報の読出しと、おもに画像データアドレス変更操作による、転写紙に対する画像の印刷方向の変更，画像の回転，画像の組み合わせ編集と、画像データに対する濃度変換，画像トリミングおよび合成と、このように処理した画像情報のＨＤＤへの書込みとによって、各種の画像加工および編集を行うことができる。画像の読み取り変倍は画像読み取りユニット６２４が行い、印刷変倍は画像書込みユニット６２３が行う。
【００４１】
ＣＰＵ６１７は、操作ボード６１０の入出力制御を行う。すなわち、操作ボード６１０の入力読込みおよび表示出力を制御する。ＲＯＭ６１６には、操作ボード６１０の制御プログラムが書かれている。ＲＡＭ６１８は、ＣＰＵ６１７で使用する作業用メモリである。６１４は、操作ボード６１０の入力キーおよび入力パネルを操作して使用者がシステム設定の入力を行う入力装置である。表示装置６１５は、操作ボード６１０にあって、使用者にシステムの設定内容，状態を表示するものであり、表示灯および表示パネルを含む。主走査及び副走査の基本倍率調整値は、システム調整工程でサンプル画像による倍率測定が行われ、操作パネル制御装置６１１により設定が行われる。
【００４２】
ＲＯＭ１３３ａは、プロセスコントローラ１３１内のＣＰＵが行う制御アルゴリズムのプログラムや各種不変データを記憶しておく部分である。ＲＯＭ１３３ａから該ＣＰＵへ情報が読み出される。ＲＡＭ１３２は該ＣＰＵが行う制御アルゴリズムで必要な変数のデータや一時的に各種データを記憶するのに使用される。不揮発メモリ１３３ｂは、機器電源がオフの間も継続して保存が必要な変数のデータや設定値，設定条件，状態情報，管理情報を記憶するのに使用される。プロセスコントローラ１３１内のＣＰＵからＲＡＭ１３２或いは不揮発メモリ１３３ｂへ書き込みが行われると共に、ＲＡＭ１３２或いは不揮発メモリ１３３ｂからＣＰＵへ情報が読み出される。
【００４３】
プロセスコントローラ１３１は作像コントローラであり、プリンタ内の「各部状態読み取り」を行い、システムコントローラ６３０からコピー条件やプリント条件が与えられると、それをＲＡＭ１３２にセーブし、プリンタ内の機構あるいは回路（負荷）を、入出力ポート１３６を介して与えられた条件に設定する。また入出力ポート１３６を介してプリンタ内のセンサの状態信号を読み込んで状態を判定し、プリンタ内に異常またはメンテ要（異常等）が有るとそれをシステムコントローラ６３０に報知して、操作ボード６１０に表示する。異常等が無いと、あるいは異常等がなくなると、レディをシステムコントローラ６３０に報知して異常等の表示は消去し、システムコントローラ６３０から、印刷命令（コピースタート／プリントスタート）が到来するとプロセスコントローラ１３１は、指定された条件のコピープロセス又はプリントプロセスの制御を実行し、そしてプリンタ内の「各部状態読み取り」を行う。この状態読み取りでも、入出力ポート１３６を介してプリンタ内のセンサの状態信号を読み込んで状態を判定する。
【００４４】
前述の電動ファンＦ１〜Ｆ８は、プロセスコントローラ１３１が入出力ポート１３６を介して通電スイッチ７０をオンにすることによって付勢（通電）されて回転する。電動ファンＦ１〜Ｆ８はそれぞれ、異常状態の有無を表す参照信号（異常有り：Ｈ／異常なし：Ｌ）を出力する信号ラインを備えており、各信号ラインがオアゲート７９に接続されている。オアゲート７９は全参照信号の論理和を表わす信号を出力する。この出力信号を以下ではモニタ信号という。モニタ信号は、電動ファンＦ１〜Ｆ８のいずれも正常であって全参照信号がＬのときＬ（電動ファン群ＦＧに異常なし）、電動ファンＦ１〜Ｆ８の１つでも異常になってそれが出力する参照信号がＨになったときはＨ（電動ファン群ＦＧに異常あり）となる。
【００４５】
図３に、通電スイッチ７０周りの構成をやや詳しく示す。本実施例では、オアゲート７９の出力であるモニタ信号のＬ（異常なし）からＨ（異常有り）への立上りで、プロセスコントローラ１３１の主体であるＣＰＵ１３０に割り込みをかけて、該ＣＰＵの割り込み処理で、電動ファン群ＦＧの中の異常になった電動ファンを特定するようにした。ＣＰＵ１３０は、外部割込み信号入力端ＩＮＴａに与えられる信号がＨからＬに切り換わると外部割込み処理を実行するので、モニタ信号のＨ（異常有り）に応答して外部割込み処理を実行するように、モニタ信号をインバータ８０で反転して、ＣＰＵ１３０の外部割込み信号入力端ＩＮＴａに印加するようにした。また、電動ファン群ＦＧの中の異常になった電動ファンを特定するとき、通電スイッチ７０の各スイッチＳｗ１〜Ｓｗ８のオンオフを操作して電動ファン群ＦＧの電動ファンを部分的に付勢するので、これによりモニタ信号のレベルが変化する。これを外部割込み信号入力端ＩＮＴａとは別のポートで読み取るために、オアゲート７９の出力であるモニタ信号を、ＣＰＵ１３０の入力ポートｉａに印加する。
【００４６】
図４に、ＣＰＵ１３０の、割込み信号入力端ＩＮＴａのＨからＬへの信号変化（モニタ信号のＬからＨへの変化）に応答する外部割込みＩＰＡの内容を示す。モニタ信号のＬ（電動ファン群ＦＧに異常なし）からＨ（電動ファン群ＦＧに異常あり）への変化に応答してこの割り込み処理ＩＰＡに進むとＣＰＵ１３０は、該割り込み処理ＩＰＡの２重，３重の起動を防止するために該割り込み処理ＩＰＡの新たな起動は禁止し（ステップｓ１）、そのとき通電スイッチ７０への出力ポートｏ１〜ｏ８の出力信号（Ｈ：付勢中／Ｌ：停止中）すなわち電動ファン群の付勢（駆動）状態を、ＣＰＵ１３０の内部ＲＡＭに定めた状態レジスタに書込む（ステップｓ２）。
【００４７】
なお、以下においてはカッコ内には、ステップという語を省略してステップＮｏ．記号のみを記す。
【００４８】
次にＣＰＵ１３０は、入出力ポートｏ１〜ｏ８を消勢（通電停止）を指示するＬとする（ｓ３）。これにより全スイッチＳｗ１〜Ｓｗ８がオフになって、全電動ファンＦ１〜Ｆ８の通電が止まり、全ファンが停止する。これによりオアゲート７９の出力であるモニタ信号はＬ（異常なし）に戻る。
【００４９】
この実施例では、不揮発メモリ１３３ｂの１領域にファン故障時の対策テーブルが書込まれている。この対策テーブルが保持する情報を次の表１に示す。
【００５０】
【表１】
2005256617.tif 000003
【００５１】
対策テーブル上のテーブル内アドレスがチェック順位すなわち異常ファンであるかをテストする順番であり、各アドレスの書込データ「出力ポート」は、電動ファンを付勢するスイッチへの出力ポートＮｏ．であり、電動ファンＮｏ．に相応する。故障有無は現在の状態を表し、Ｌは異常なしを、Ｈは異常有りを意味する。
【００５２】
故障時の機械制御モードの「３」は、定着装置２５への通電を断ち、機内の給紙済残紙を排出後機械を停止する中断処理モードを指定するもので、定着装置周りの冷却用の電動ファンＦ４の異常と、電装部ＥＡＥＣの強制排気による冷却用の電動ファンＦ３の異常に宛てられている。故障時の機械制御モードの「２」は、設定枚数の連続複写は通常と同じく終了し、その後は設定枚数１枚の複写指示のみに応じて複写動作をおこなう複写制限モードを指定するもので、原稿スキャナ３００の内部冷却用の電動ファンＦ１の異常に宛てられている。故障時の機械制御モードの「１」は、設定枚数の連続作像（印刷又は複写）は通常と同じく終了し、その後は設定枚数１枚の作像指示のみに応じて作像動作をおこなう作像制限モードを指定するもので、電装部ＥＡＥＣの強制吸気による冷却用の電動ファンＦ２の異常に宛てられている。故障時の機械制御モードの「０」は、作像制御に制限がない通常の作像制御モードを指定するもので、各色作像ユニット周りを換気するための電動ファンＦ５〜Ｆ８のそれぞれの異常に宛てられている。
【００５３】
なお、対策テーブル上の何れかのアドレスに故障情報（Ｈ）があると、プロセスコントローラ１３１は、システムコントローラ６３０を介して、そのアドレスの出力ポートの電動ファンが異常であることを表わす警報を操作ボード６１０に表示し、該アドレスの機械制御モードを読み出してそれを実行し、該機械制御モードとは異なる制御モードの作像指示には応答しない。表１のデータをオペレータは、操作ボード６１０を用いる初期値設定の中の電動ファン監視設定メニューを選択して、書き換えることができる。
【００５４】
図４を再度参照する。ステップｓ３で全電動ファンの駆動を停止すると、ＣＰＵ１３０は、対策テーブルのデータ読み出しアドレスＮを１に初期化して（ｓ４）、そこのデータを読み出して、読み出したデータの中の出力ポートが、前記状態レジスタ（ｓ２）では「付勢」であると、該出力ポートにファン駆動を指示する付勢指示信号Ｈをセットする（ｓ５，ｓ６）。これにより該出力ポートに接続されたスイッチがオンして該スイッチに接続された電動ファンに通電する。この通電に該電動ファンの異常検出回路が応答して、仮に異常であれば参照信号をＬからＨ（異常有り）に切り換える遅れ時間より僅かに長い時間ｄＴ経過後に（ｓ７，ｓ８）、ＣＰＵ１３０は、入力ポートｉａ（モニタ信号）の信号レベルを読み込んで、それがＨ（異常あり）であると、該電動ファンへの通電を停止し（ｓ９，ｓ１０）、対策テーブルのアドレスＮに故障信号（Ｈ）を書込む（ｓ１１）。
【００５５】
読み込んだ信号レベルがＬ（異常なし）であった場合、ならびに、上述の故障信号（Ｈ）を書込んだ場合でも、アドレスＮが最終アドレスｎ（実施例ではｎ＝８）になっていないと、次のアドレスのデータを対策テーブルから読み出して（ｓ１２，ｓ１３）、上述の、ステップｓ５〜ｓ９の、１個の電動ファンの異常有無チェックを同様に行う。このようにして、割り込み処理ＩＰＡに進んだときに駆動していた電動ファンの全ての異常有無チェックを１個づつ順次に行い、対策テーブル上の異常があった電動ファンのアドレスには、故障信号（Ｈ）を書込む（ｓ１１）。
【００５６】
これを終えるとＣＰＵ１３０は、対策テーブル上の故障信号（Ｈ）があるアドレスｊのデータをセーブして、アドレスｊ−１のデータをアドレスｊに繰り下げ同様に、アドレスｊ−１より先順位アドレスのデータを１つアドレスを繰り下げて、これにより空いたアドレス１に、セーブしているデータ（旧アドレスｊのデータ）を書込む（ｓ１４）。すなわち異常信号を発生した電動ファンのデータを、最先順位位置であるアドレス１に書換える（ｓ１４）。異常信号を発生した電動ファンが複数である場合には、対策テーブル上のアドレスが先順位のものから、アドレス１，２，・・・と、対策テーブル上の書込アドレスを更新する（ｓ１４）。
【００５７】
次にＣＰＵ１３０は、対策テーブル上で、異常信号を発生した電動ファンに宛てられている「故障時の機械制御モード」データを摘出して、ＣＰＵ１３０の作像条件レジスタのデータ群に加え、作像条件割り込み変更（フラグ）を状態レジスタに設定して（ｓ１５）、外部割込みを許可して（ｓ１６）、外部割り込みＩＰＡを終了する。すなわち、外部割り込みＩＰＡに進入する直前の制御ステップ（メインーチン）に戻る。そして、メインルーチンでは状態レジスタに作像条件割り込み変更（フラグ）があるので、作像条件レジスタの「故障時の機械制御モード」データが指定する機械制御モードに作像制御を切り換える。
【実施例２】
【００５８】
本発明の第２実施例のハードウェアは上述の第１実施例と同様であり、また、不揮発メモリ１３３ｂには第２実施例でも、表１に示す対策テーブルが書き込まれているが、オアゲート７９の出力であるモニタ信号がＬ（異常なし）からＨ（異常有り）に切り換わったときに実行する異常電動ファン特定処理の内容が異なる。
【００５９】
図５に、第２実施例のプロセスコントローラ１３１の主体をなすＣＰＵ１３０の、異常電動ファンを特定する、外部割込みＩＰＡｖの内容を示す。第１実施例と同様に、モニタ信号のＬ（異常なし）からＨ（異常あり）への変化に応答して割り込み処理ＩＰＡｖに進むと第１実施例と同様に、第２実施例のＣＰＵ１３０は、割り込み処理ＩＰＡｖの新たな起動は禁止し（ｓ２１）、そのとき通電スイッチ７０への出力ポートｏ１〜ｏ８の出力信号をＣＰＵ１３０の内部ＲＡＭに定めた状態レジスタに書込む（ｓ２２）。次にＣＰＵ１３０は、入出力ポートｏ１〜ｏ８を消勢（通電停止）を指示するＬとする（ｓ２３）。これにより全スイッチＳｗ１〜Ｓｗ８がオフになって、全電動ファンＦ１〜Ｆ８の通電が止まり、全ファンが停止する。これによりオアゲート７９の出力であるモニタ信号はＬ（異常なし）に戻る。
【００６０】
次にＣＰＵ１３０は、前記状態レジスタの出力信号データを参照して、異常検知時に動作させていた全ての電動ファンを１番から順にナンバリングする（ｓ２４）。次にＳ２５で、奇数番にナンバリングした第１１グループの電動ファンを付勢する。ここで、偶数番にナンバリングした電動ファンを第１２グループと表現する。そしてｄＴ経過後にモニタ信号の確認を行う（ｓ２６，ｓ２７）。奇数番にナンバリングした第１１グループの電動ファンの何れかが故障していれば、モニタ信号がＨになっている。この場合には、第１１グループの電動ファンを再ナンバリングして（Ｓ２８）、奇数番にナンバリングした第１１１グループの電動ファンのみを付勢する（ｓ２９）。ここで、偶数番にナンバリングした電動ファンを第１１２グループと表現する。そしてｄＴ経過後にモニタ信号の確認を行う（ｓ３０，ｓ３１）。奇数番にナンバリングした第１１１グループの電動ファンのいずれかが故障していれば、モニタ信号がＨになっている。この場合には、第１１１グループの電動ファンを再ナンバリングして（Ｓ３２）、奇数番にナンバリングした第１１１１グループの電動ファンのみを付勢する（ｓ３５）。ここで、偶数番にナンバリングした電動ファンを第１１１２グループと表現する。そしてｄＴ経過後にモニタ信号の確認を行う（ｓ３６，ｓ３７）。
【００６１】
この段階で、全電動ファンの個数ｎが８であるので、１グループは１個以下の電動ファンとなっている。そこで奇数番にナンバリングした第１１１１グループの電動ファンが故障していれば、その駆動を停止する（ｓ３８）。該第１１１１グループの電動ファンが故障していなければ、第１１１２グループの電動ファンが故障していることになるので、その駆動を停止する（ｓ３９）。そして、第１実施例の場合と同様に、対策テーブル上の異常があった電動ファンのアドレスには、故障信号（Ｈ）を書込み（ｓ４１）、異常信号を発生した電動ファンのデータを、最先順位位置であるアドレス１に書換える（ｓ４２）。次にＣＰＵ１３０は、対策テーブル上で、異常信号を発生した電動ファンに宛てられている「故障時の機械制御モード」データを摘出して、ＣＰＵ１３０の作像条件レジスタのデータ群に加え、作像条件割り込み変更を状態レジスタに設定して（ｓ４３）、状態レジスタの駆動ファンの中の正常ファンを駆動し（ｓ４４）、外部割込みを許可して（ｓ４５）、外部割り込みＩＰＡを終了する。すなわち、外部割り込みＩＰＡに進入する直前のメインルーチンに戻る。そして、メインルーチンでは、状態レジスタに「作像条件割り込み変更」があるので、作像条件レジスタの「故障時の機械制御モード」データが指定する機械制御モードに作像制御を切り換える。
【００６２】
上記順次に２グループに区分する細分割過程において、第１１１グループの電動ファンが故障していなかった場合には、第１１２グループの電動ファンを駆動して（ｓ３３）該グループを再ナンバリングして（Ｓ３４）、奇数番にナンバリングした第１１２１グループの電動ファンのみを付勢する（ｓ３５）。ここで、偶数番にナンバリングした電動ファンを第１１２２グループとする。そしてｄＴ経過後にモニタ信号の確認を行う（ｓ３６，ｓ３７）。この段階で、全電動ファンの個数ｎが８であるので、１グループは１個以下の電動ファンとなっている。奇数番にナンバリングした第１１２１グループの電動ファンが故障していれば、その駆動を停止する（ｓ３８）。該第１１２１グループの電動ファンが故障していなければ、第１１２２グループの電動ファンが故障していることになるので、その駆動を停止する（ｓ３９）。そして、上述のステップｓ４１以下の処理を行う。
【００６３】
また、第１１グループの電動ファンが故障していなかった場合には、第１２グループの電動ファンを駆動して再ナンバリングして（Ｓ４０）、この第１２グループに関して、上述のステップｓ２８以下の特定処理を実行する。
【００６４】
第２実施例では、上記全電動ファンの順次の２グループへの細分化を、１グループ内電動ファンの個数が１個になるまで、モニタ信号がＨ（異常あり）となる側のグループのみに適用するので、電動ファン数が多い場合に、異常ファン特定に要する時間が格段に短い。
【００６５】
なお、第１および第２実施例のいずれにおいても、モニタ信号がＨ（異常有り）になつたときにＣＰＵ１３０の割り込み処理で電動ファン群ＦＧ内の異常ファンを特定するが、本発明の他の実施例又は変形例では、インバータ８０を省略しＣＰＵ１３０の割り込み処理ではなく、入力ポートｉａの信号レベルの変化を監視して、それがＬからＨに変化すると、たとえば図４のステップｓ２〜ｓ１５又は図５のステップｓ２２〜ｓ４４などの異常電動ファン特定処理を行う。この場合には、異常ファンを特定するために必要な入力ポートは、１個（ｉａ）のみである。
【図面の簡単な説明】
【００６６】
【図１】本発明の第１実施例の複合機能があるフルカラー複写機の機構概要を示す断面図である。
【図２】図１に示す複写機の画像処理システムの概要を示すブロック図である。
【図３】図２に示す通電スイッチ７０周りの構成をやや詳しく示す拡大ブロック図である。
【図４】図３に示すＣＰＵ１３０の外部割込み処理の概要を示すフローチャートである。
【図５】本発明の第２実施例のＣＰＵ１３０の外部割込み処理の概要を示すフローチャートである。
【符号の説明】
【００６７】
１０：中間転写ベルト  １４〜１６：支持ローラ
１７：中間転写体クリーニング装置
１８：作像関連機器    ２０：作像装置
２１：レーザ露光装置  ２２：２次転写装置
２３：ローラ          ２４：２次転写ベルト
２５：定着装置        ２６：定着ベルト
２７：加圧ローラ      ２８：シート反転装置
３２：コンタクトガラス
３３：第１キャリッジ  ３４：第２キャリッジ
３５：結像レンズ      ３６：ＣＣＤ
４０：感光体ドラム    ４２：給紙ローラ
４３：ペーパーバンク  ４４：給紙カセット
４５：分離ローラ      ４６：給紙路
４７：搬送ローラ      ４８：給紙路
４９：レジストローラ  ５０：給紙ローラ
５１：手差しトレイ    ５５：切換爪
５６：排出ローラ      ５７：排紙トレイ
【図１】
2005256617.tif 000004
【図２】
2005256617.tif 000005
【図３】
2005256617.tif 000006
【図４】
2005256617.tif 000007
【図５】
2005256617.tif 000008